(57)【要約】【課題】電気掃除機を長期間使用できるようにし、また塵埃の排出を容易にすること。【解決手段】吸引風を発する電動送風機と、吸引風から塵埃を分離する遠心分離部７と、遠心分離部７の下端部を構成すると共に、遠心分離部７の下方に移動自在に設けられた塵埃圧縮板２１と、遠心分離部７の下方に設けられ、遠心分離部７にて吸引風から分離した塵埃を堆積する塵埃蓄積部８とを備え、前記電動送風機の運転停止時に、塵埃圧縮板２１を下方に移動させ、塵埃蓄積部８に堆積した塵埃を上方から圧縮する構成とした。これにより、塵埃蓄積部８に堆積した塵埃が、遠心分離部７のプレフィルター１６の外表面に付着するのを防止でき、集塵性能を維持して長期間の使用を可能にする。また塵埃圧縮板２１を下方に移動する際、遠心分離部７のプレフィルター１６内部で塵埃圧縮板２１の上に溜まった塵埃を塵埃蓄積部８に排出でき、掃除機本体からの塵埃の排出が容易になる。【選択図】図２
2007020769.tif 000002
【特許請求の範囲】
【請求項１】
吸引風を発する電動送風機と、前記吸引風から塵埃を分離する略円筒状の遠心分離部と、前記遠心分離部の底面を構成すると共に、遠心分離部の中心軸に沿って前記遠心分離部の下方に移動自在に設けられた塵埃圧縮板と、前記遠心分離部の下方に設けられ、遠心分離部にて吸引風から分離した塵埃を堆積する塵埃蓄積部とを備え、前記電動送風機の運転停止時に、前記塵埃圧縮板を前記遠心分離部の下方に向かって移動させ、前記遠心分離部内に堆積した塵埃を、下方の塵埃蓄積部に落下させると共に、前記塵埃蓄積部に堆積した塵埃を上方から圧縮する構成とした電気掃除機。
【請求項２】
塵埃圧縮板の形状を、下方に向かって開いた略Ｕ字状とした請求項１記載の電気掃除機。
【請求項３】
遠心分離部内に、塵埃圧縮板と連結され前記遠心分離部の中心軸と同軸の棒部を設けると共に、前記略円筒状の遠心分離部表面に、粗塵埃を分離する略円筒状のプレフィルターを設け、前記棒部には、前記プレフィルターを内側から除塵する除塵部を設けた請求項１または２記載の電気掃除機。
【請求項４】
略円筒状のプレフィルター内部に、塵埃圧縮板を下方に移動させた際に、元の位置に復帰させる弾性体を設けた請求項１〜３のいずれか１項に記載の電気掃除機。
【請求項５】
塵埃圧縮板は、軟質材で形成された請求項１〜４のいずれか１項に記載の電気掃除機。
【請求項６】
塵埃圧縮板は、帯電防止剤を含んだ材料で形成された請求項１〜５のいずれか１項に記載の電気掃除機。
【発明の詳細な説明】
【技術分野】
【０００１】
本発明は、電気掃除機の集塵構造に関するものである。
【背景技術】
【０００２】
従来の電気掃除機を、図７を用いて説明する。
【０００３】
有底の集塵室３１を設け、内部に吸気する吸気口３２を集塵室３１の側壁に接線方向に設けている。集塵室３１の上端開口部３３を覆うように蓋体３４を設け、この蓋体３４に排気口３５を設ける。また集塵室３１の上端開口部３３を覆うようにフィルター３６を取り付けている。電動送風機３７が運転すると塵埃は吸引部３８より吸引され、吸気口３２より集塵室３１内に吸気され、集塵室３１内で遠心分離され、排気はフィルター３６を通して排気口３５より排出される（特許文献１参照）。
【特許文献１】特開２００１−１０４２２３号公報
【発明の開示】
【発明が解決しようとする課題】
【０００４】
しかしながら、前記従来の構成では、集塵室３１内に堆積して溜まった塵埃がフィルター３６に付着し、集塵性能を低下させるという課題を有していた。また、フィルター３６内の塵埃を排出し難いという課題を有していた。
【０００５】
本発明は、前記従来の課題を解決するもので、集塵性能を低下させることなく長期間使用することができると共に、塵埃の排出を容易に行なえる電気掃除機を提供することを目的とする。
【課題を解決するための手段】
【０００６】
前記従来の課題を解決するために、本発明の電気掃除機は、吸引風を発する電動送風機と、前記吸引風から塵埃を分離する略円筒状の遠心分離部と、前記遠心分離部の底面を構成すると共に、遠心分離部の中心軸に沿って前記遠心分離部の下方に移動自在に設けられた塵埃圧縮板と、前記遠心分離部の下方に設けられ、遠心分離部にて吸引風から分離した塵埃を堆積する塵埃蓄積部とを備え、前記電動送風機の運転停止時に、前記塵埃圧縮板を前記遠心分離部の下方に向かって移動させ、前記遠心分離部内に堆積した塵埃を、下方の塵埃蓄積部に落下させると共に、前記塵埃蓄積部に堆積した塵埃を上方から圧縮する構成としたものである。
【０００７】
これにより、堆積した塵埃を塵埃圧縮板で圧縮させることで、塵埃の堆積高さを低く維持できるため、塵埃が遠心分離部に近づき難くなり、堆積した塵埃が遠心分離部のフィルターに付着するのを防止でき、集塵性能を低下させることなく長期間使用することが可能になる。また、塵埃圧縮板は、遠心分離部の底面を構成すると共に、塵埃蓄積部に堆積された塵埃（主に粗塵埃中心）を圧縮するために下方に移動する際に、遠心分離部内部に溜まった塵埃（主に細塵中心）を塵埃蓄積部に排出でき、電気掃除機内の塵埃を排出する際は、塵埃蓄積部の塵埃を排出するだけで済むものである。
【発明の効果】
【０００８】
本発明の電気掃除機は、塵埃の圧縮機能を有する移動自在の塵埃圧縮板を設け、塵埃が遠心分離部のプレフィルターに付着するのを防止することで、集塵性能が維持され、長期間の使用が可能になる。また、遠心分離部の底面を前記移動自在の塵埃圧縮板と兼用することで、塵埃の掃除機本体からの排出がより簡便になる。
【発明を実施するための最良の形態】
【０００９】
第１の発明は、吸引風を発する電動送風機と、前記吸引風から塵埃を分離する略円筒状の遠心分離部と、前記遠心分離部の底面を構成すると共に、遠心分離部の中心軸に沿って前記遠心分離部の下方に移動自在に設けられた塵埃圧縮板と、前記遠心分離部の下方に設けられ、遠心分離部にて吸引風から分離した塵埃を堆積する塵埃蓄積部とを備え、前記電動送風機の運転停止時に、前記塵埃圧縮板を前記遠心分離部の下方に向かって移動させ、前記遠心分離部内に堆積した塵埃を、下方の塵埃蓄積部に落下させると共に、前記塵埃蓄積部に堆積した塵埃を上方から圧縮する構成としたもので、集塵室内に堆積した塵埃が遠心分離部に近づき、容易に遠心分離部のプレフィルターに付着して集塵性能を低下させいたが、塵埃圧縮板部で堆積した塵埃を圧縮することで、塵埃の堆積高さを低く維持でき、塵埃が遠心分離部に近づき難くなり、遠心分離部のプレフィルターに再付着するのを防止でき、集塵性能を低下させることなく長期間、電気掃除機を使用することが可能になる。
【００１０】
また、塵埃圧縮板は、遠心分離部の底面を構成すると共に、塵埃蓄積部に堆積された塵埃（主に粗塵埃中心）を圧縮するために下方に移動する際に、遠心分離部内部で、塵埃圧縮板の上に溜まった塵埃（主に細塵中心）を塵埃蓄積部に排出でき、塵埃蓄積部内の塵埃を排出する際に、併せて、遠心分離部内部で塵埃圧縮板の上に溜まった塵埃も同時に排出することが可能になるものである。
【００１１】
第２の発明は、第１の発明の塵埃圧縮板の形状を、下方に向かって開いた略Ｕ字状としたもので、遠心分離部で発生した回転気流は、塵埃蓄積部の底面で反射することにより再度上昇するため、いったん堆積された塵埃は再度上方に巻き上げられるが、下方に向かって開いた前記略Ｕ字状の塵埃圧縮板により跳ね返され、再び前記塵埃蓄積部内に堆積することで、塵埃が遠心分離部のプレフィルターに再付着するのを防止し集塵性能低下を抑えることができる。
【００１２】
また、塵埃蓄積部に堆積した塵埃を圧縮するために前記塵埃圧縮板を下方に移動させた際に、遠心分離部内に蓄積していた塵埃が遠心分離部の底面を構成する前記塵埃圧縮板の移動と共に塵埃圧縮板上方を滑り落ちて、下方の塵埃蓄積部に落下するが、塵埃圧縮板の形状を下方に向かって開いた略Ｕ字状としたことにより、より滑り易く、落下し易くなり、塵埃圧縮板の上面に残って、塵埃蓄積部に排出されなくなることを防止できる。
【００１３】
第３の発明は、第１または第２の発明の遠心分離部に、塵埃圧縮板と連結され前記遠心分離部の中心軸と同軸の棒部を設けると共に、前記略円筒状の遠心分離部表面に、粗塵埃を分離する略円筒状のプレフィルターを設け、前記棒部には、前記プレフィルターを内側から除塵する除塵部を設けたもので、塵埃圧縮板部が上下に移動することにより、前記塵埃圧縮板の棒部に設けられた除塵部が上下に移動し、除塵部がプレフィルターに付着した塵埃を払い取り、集塵性能を回復させて、長期間の使用が可能になる。
【００１４】
第４の発明は、第１〜３のいずれか１つの発明の略円筒状のプレフィルター内部に、塵埃圧縮板部を下方に移動させた際に、元の位置に復帰させる弾性体を設けたもので、弾性体を略円筒状のプレフィルター内部に設けたことで、粗塵埃が弾性体に引っ掛かることがなく、また、弾性体の弾力により、下方に移動して堆積した塵埃を圧縮した塵埃圧縮板を自動的に元の位置に復帰させることができ塵埃圧縮作業がより利便性に富んだものとなる。
【００１５】
第５の発明は、第１〜第４のいずれか１つの発明において、塵埃圧縮板を軟質材で形成したもので、塵埃圧縮板を堆積した塵埃上に下降させて塵埃を圧縮すると、軟質材で形成されている塵埃圧縮板の略円盤形状の縁が塵埃の反発力により反り上がり塵埃に面する塵埃圧縮板の略円盤形状面積が増加し、より広い面積で塵埃を圧縮し、より高密度に塵埃を圧縮するため、塵埃の堆積高さをより低く維持でき、塵埃が遠心分離部により近づき難くなり、塵埃が遠心分離部のプレフィルターに再付着するのを防止し、集塵性能低下を抑えることで、より長期間の使用が可能になる。
【００１６】
第６の発明は、第１〜第５のいずれか１つの発明において、塵埃圧縮板を帯電防止剤を含んだ材料で形成したもので、帯電防止剤の効果で塵埃圧縮板への塵埃の付着がないため、塵埃圧縮板に当り跳ね返される回転気流の流速が低減されず、塵埃が遠心分離部のプレフィルターに再付着するのを防止し、集塵性能の低下を抑えて、長期間の使用を可能にする。
【００１７】
以下、本発明の実施の形態について、図面を参照しながら説明する。なお、本実施の形態によって本発明が限定されるものではない。
【００１８】
（実施の形態１）
本発明の第１の実施の形態について、図１、図２、図３を用いて説明する。
【００１９】
図１、図２、図３において、５は吸引風を発する電動送風機６と塵埃を吸引する吸込具に連通し、上方に配設され吸引した吸引風から塵埃を遠心分離する遠心分離部７と、下方に配設され前記遠心分離部７から分離された塵埃を堆積する塵埃蓄積部８から構成された集塵部である。
【００２０】
また、９は前記吸込具にて吸引した塵埃を含む吸引風を集塵部５に流入するための吸気口部で、１０は前記遠心分離部７の入口で前記吸気口部９から吸引された塵埃を含む吸引風を、前記遠心分離部７室内に略均等に分流するための分岐口部である。また、１１は前記集塵部５を運ぶための把手部で、１２は前記集塵部５の略上方に開口部１３を設け、前記開口部１３を覆い、内部に吸引した吸引風が含む塵埃の濾過用のフィルター部１４を配設した集塵部蓋で、１５は前記把手部１１近傍に設けて、前記集塵部蓋１２と前記集塵部５の間を係止及び解除させる操作部である。
【００２１】
また、１６は前記集塵部５と前記集塵部蓋１２の間に配置され、前記遠心分離部７の鉛直方向の略中心上に位置し、略円筒状をなす粗塵蓄積用のプレフィルターである。
【００２２】
また、２１は遠心分離部７の底面を構成すると共に、遠心分離部７の中心軸に沿って前記遠心分離部７の下方に移動自在に設けられ、下方に向かって開いた略Ｕ字状の形状をなす塵埃圧縮板である。２２は、遠心分離部７内に、塵埃圧縮板２１と連結され前記遠心分離部７の中心軸と同軸に設けられた棒部であり、前記棒部２２は集塵部蓋１２に設けられた略円状の開口部２３、フィルター部１４に設けられた略円状の開口部２４を通り抜け塵埃圧縮板２１の天面に連結されており、前記棒部２２が上下に移動することで連結している塵埃圧縮板２１も上下に連動して移動する。
【００２３】
また、１８は塵埃蓄積部８の外周に設けた塵埃を排出するための排出口で、１９は前記排出口１８を覆う排出口蓋である。
【００２４】
以上のように構成された電気掃除機について、以下その作用を説明する。
【００２５】
電気掃除機を運転すると、前記電動送風機６より吸引された塵埃を含む吸引風は前記吸気口部９を通り、前記前記遠心分離部７の吸気上流側に設けた前記分岐口部１０により略均等に分流された状態で前記遠心分離部７の内面の略接線方向に吸引される。
【００２６】
吸引された塵埃を含む吸引風は、前記遠心分離部７内周面を回転しながら自らの質量により下方に落下し、前記遠心分離部７の下部の前記塵埃蓄積部８の中に堆積される。その後、前記遠心分離部７で発生した回転気流は、前記塵埃蓄積部８の底面で反射することにより再度上昇するため、いったん堆積された塵埃は再度上方に巻き上げられるが、遠心分離部７の底面を構成すると共に、下方に向かって開いた略Ｕ字状の形状をなす塵埃圧縮板２１によって跳ね返され、再び前記塵埃蓄積部８内に堆積し、プレフィルター１６に再付着するのを防止できる。
【００２７】
前記遠心分離部７で粗塵埃を分離した細塵を含む吸引風は、前記プレフィルター１６を通過して、前記集塵部蓋１２の内部の前記フィルター部１４を通過するとき、細塵を濾過して、きれいな状態で前記電動送風機６に吸引された後、大気に排出される。
【００２８】
塵埃蓄積部８内に塵埃が堆積され続けると、堆積された上層の塵埃は吸引風が流れ込むプレフィルター１６に近づくため、前記プレフィルター１６に再付着し易くなるが、電動送風機６の運転停止時に、例えば、操作部５を操作して集塵部蓋１２を開き、棒部２２を手動により下方に移動させることで、前記棒部２２に連結している塵埃圧縮板２１の底面が下に移動して堆積された上層の塵埃を圧縮することで、塵埃の積層高さを低くし、堆積された上層の塵埃はプレフィルター１６から遠のき、前記プレフィルター１６に再付着し難くなり、集塵性能を低下させず、電気掃除機を長期間使用することが可能になる。
【００２９】
また、塵埃圧縮板２１は、遠心分離部７の底面を構成すると共に、塵埃蓄積部８に堆積された塵埃（主に粗塵埃中心）を圧縮するために下方に移動する際に、遠心分離部７の略円筒状のプレフィルター１６内部に溜まった塵埃（主に細塵中心）を塵埃蓄積部８に排出できる。従って、塵埃蓄積部８に堆積した塵埃を、塵埃蓄積部８の外周に設けた塵埃を排出するための排出口１８から排出する際に、事前に、上記の塵埃圧縮動作を行なっておくと、併せて、プレフィルター１６内部に溜まった塵埃も一緒に排出できるようになり、電気掃除機からの塵埃排出作業がより容易になるものである。
【００３０】
またプレフィルター１６内部に溜まった塵埃が遠心分離部７の底面を構成する前記塵埃圧縮板２１の移動と共に塵埃圧縮板２１上面を滑り落ちて、下方の塵埃蓄積部８に落下するが、本実施の形態においては、特に、塵埃圧縮板２１の形状を、下方に向かって開いた略Ｕ字状としていることにより、塵埃圧縮板２１上面を、より滑り易く、落下し易くなり、塵埃が、塵埃圧縮板２１の上面に残って、塵埃蓄積部８に排出されなくなる等の不具合が生じることもない。
【００３１】
尚、本実施の形態において、棒部２２を手動で下方に移動させるようにしたが、他の機構を用いて、スイッチ等と連動させて、スイッチを操作することで、自動的に下方に移動するようにしても、支障がないものである。
【００３２】
（実施の形態２）
本発明の第２の実施の形態について、図２を用いて説明する。なお、上記実施の形態１と同一部品については同一符合を付してその詳細な説明を省略する。
【００３３】
図２において、塵埃圧縮板部２１を帯電防止剤を含んだ材料で成形したものである。
【００３４】
以上のように構成された電気掃除機について、以下その作用を説明する。
【００３５】
帯電防止剤の効果で塵埃圧縮板部２１への塵埃の付着を無くすことで、塵埃圧縮板２１へ当り跳ね返される回転気流の流速が低減されず、塵埃が遠心分離部７のプレフィルター１６に付着するの妨げ、集塵性能低下を抑え、長期間使用することができる。
【００３６】
（実施の形態３）
本発明の第３の実施の形態について、図４を用いて説明する。なお、上記実施の形態１、２と同一部品については同一符合を付してその詳細な説明を省略する。
【００３７】
図４において、塵埃圧縮板２１を軟質材で成形したものである。
【００３８】
以上のように構成された電気掃除機について、以下その作用を説明する。
【００３９】
塵埃圧縮板２１を、塵埃蓄積部８に堆積した塵埃上に下降させて塵埃を圧縮すると、軟質材で形成されている塵埃圧縮板２１の縁が塵埃の反発力により反り上がり塵埃に面する塵埃圧縮板２１の面積が増加し、より広い面積で塵埃を圧縮することで、より高密度に塵埃を圧縮でき、塵埃の堆積高さをより低く維持して、塵埃が遠心分離部７により近づき難くなり、塵埃が遠心分離部７のプレフィルター１６に付着するのをさらに防止し、集塵性能低下を抑えることで、さらに長期間使用することが可能になる。
【００４０】
（実施の形態４）
本発明の第４の実施の形態について、図５を用いて説明する。なお、上記実施の形態１〜３と同一部品については同一符合を付してその詳細な説明を省略する。
【００４１】
図５において、棒部２２の外周に略リング状の除塵部２７を配置する。前記除塵部２７はプレフィルター１６の内寸法より僅かに小さい外寸法を有し、遠心分離部７内を上下方向にスムーズに動くことができる。前記除塵部２７の外面にはプレフィルター１６の内面に接するブラシ２８が取り付けられている。前記ブラシ２８は合成樹脂の剛毛を有し、その毛先は遠心分離部７の内面曲率に見合う曲率に揃えられており、プレフィルター１６に弾力的に接触する。なお、このような剛毛からなるブラシ２７の他、起毛布、軟質樹脂等を配置しても良い。
【００４２】
以上のように構成された電気掃除機について、以下その作用を説明する。
【００４３】
プレフィルター１６を除塵する除塵部２７を設けたので、塵埃圧縮板２１が上下に移動することにより、前記塵埃圧縮板２１に連結した棒部２２に設けられた除塵部２７が上下に移動し、除塵部２７外面に設けられたブラシ２８がプレフィルター１６内面に付着した塵埃を払い取り、集塵性能を回復させることで、電気掃除機の長期間の使用を可能にするものである。
【００４４】
（実施の形態５）
本発明の第５実施の形態について、図６を用いて明する。なお、上記実施の形態１〜４と同一部品については同一符合を付してその詳細な説明を省略する。
【００４５】
図６において、２９は、遠心分離部７内で棒部２２を包みこむように配設された、棒部２２の外形よりも僅かに大きい内径を有する略円筒部であり、３０は前記棒部２２の上部先端と前記略円筒部２９の天井面間に配設された弾性体である。
【００４６】
以上のように構成された電気掃除機について、以下その作用を説明する。
【００４７】
塵埃圧縮板部２１を下方に移動させたとき、前記塵埃圧縮板部２１には、弾性体３０により、元の位置に復帰させる力が作用し、塵埃圧縮板部２１が自動的に上方に移動するため、操作がより簡便になる。
【００４８】
また、弾性体３０を遠心分離部７のプレフィルター１６内部に配設したことで、前記弾性体３０に粗塵埃等が付着し難くなり、前記弾性体３０がスムーズに弾性変形し、塵埃により弾性体３０の動きが制限されることも少なくなる。
【産業上の利用可能性】
【００４９】
以上のように、本発明にかかる電気掃除機によれば、集塵性能を維持し、長期間にわたって使用できると共に、塵埃の排出も容易にした電気掃除機を提供できる。
【図面の簡単な説明】
【００５０】
【図１】本発明の実施の形態１における電気掃除機の全体構成を示す断面図
【図２】同、集塵部の略断面図
【図３】同、集塵部の略上面図
【図４】（ａ）本発明の実施の形態３における、塵埃圧縮板が下方に移動し塵埃を圧縮している状態を示す要部断面図（ｂ）同、塵埃圧縮板が上方に移動し遠心分離部の下端部を構成している状態を示す要部断面図
【図５】本発明の実施の形態４における集塵部の要部断面図
【図６】本発明の実施の形態５における集塵部の断面図
【図７】従来の電気掃除機の全体構成を示す断面図
【符号の説明】
【００５１】
６    電動送風機
７    遠心分離部
８    塵埃蓄積部
１６  プレフィルター
２１  塵埃圧縮板
２２  棒部
２７  除塵部
３０  弾性体
【図１】
2007020769.tif 000003
【図２】
2007020769.tif 000004
【図３】
2007020769.tif 000005
【図４】
2007020769.tif 000006
【図５】
2007020769.tif 000007
【図６】
2007020769.tif 000008
【図７】
2007020769.tif 000009